(57)【特許請求の範囲】
【請求項１】
左右に位置する側板（５０・５１）と、該両側板（５０・５１）間に設けた開閉自在の扉を構成する複数のパネル（５３）と、両側板（５０・５１）間に設けた背板を構成する複数のパネル（５３）と、天井への突っ張り機構（１２）を内装する幕板（１１）と、床面からの昇降機構（２１）及び移動輪（２２）を内装する台枠（２０）と、からなる間仕切収納家具（１）であって、前記背板を構成する複数のパネル（５３）は開閉可能とするとともに、該背板を構成する複数のパネル（５３）の裏面隣接部同士を、連結板（６５）により連結して固定可能とし、該連結板（６５）は、間仕切収納家具（１）を構成するパネル（５３）の裏面の収納部１０側の隣接部同士を跨ぐように連結固定し、該パネル（５３）が開かないように、該パネル（５３）の裏面に設け、前記扉を構成するパネル（５３）と、背板を構成するパネル（５３）は同一部材で構成し、該パネル（５３）の左右位置には、バーハンドル（６２）を取り付ける為の取り付け孔（６１）を貫通配置し、該バーハンドル（６２）を取付けない場合には、該取り付け孔（６１）は、表面色彩をパネル（５３）の表面と同一とする栓（６３）にて、間仕切られた一方の空間から、他方の空間を覗けないように閉塞し、該パネル（５３）には、前記バーハンドル（６２）の取り付け孔（６１）と高さを異にして、連結板（６５）の取り付け孔（６４）を配置し、該連結板取り付け孔（６４）は、貫通させないことを特徴とする間仕切収納家具。
【発明の詳細な説明】
【０００１】
【発明の属する技術分野】
本発明は、間仕切収納家具の開閉扉及び背板を構成するパネルに関する。
【０００２】
【従来の技術】
従来、住宅は、その間取りを家族構成、あるいは家族の生活スタイルの変化に柔軟に対応し、容易に変化させることのできることが理想とされている。そして、この住宅の間取り変更に対応可能な住宅部材として、間仕切り壁、または建物の内部空間の間仕切りにもなる間仕切り収納ユニット等の間仕切収納家具が提案されている。
このような間仕切収納家具においては、その背板が壁面として機能している。
【０００３】
【発明が解決しようとする課題】
しかし、上述の背板においては、その表面が室内内装の一部となるにもかかわらず、室内内装との調和・美観を考慮していなかったといえる。
例えば、図１４に示すごとく、間仕切収納家具１ａ・１ｂを用いて二つの部屋Ｇ・Ｈに間仕切り、部屋Ｇ側からは間仕切収納家具１ａを使用可能とし、部屋Ｈからは間仕切収納家具１ｂの使用可能とする場合において、部屋Ｇ側は、間仕切収納家具１ａの扉面（パネル６７Ａ・６７Ａ・・・）と、間仕切収納家具１ｂの背板面（６７Ｂ）で構成されることになる。
このような場合において、間仕切収納家具１ａの扉面と間仕切収納家具１ｂの背板面の調和が取れていない場合には、両面のアンバランスにより部屋Ｇの内装空間の美観が損なわれてしまう。
【０００４】
また、間仕切収納家具により構成される壁面の形状、色彩及び質感は、壁紙が室内空間の雰囲気を左右するごとく、室内空間演出の重要な要素となるため、居住者の好みに応じて、選択自由であることが望ましい。
【０００５】
また、間仕切収納家具により空間を二つに分割した場合に、各空間の間仕切収納家具の収納容積の配分は、各空間の使用の用途に応じてフレキシブルに対応できることが望ましい。
【０００６】
そこで、本発明は、以上の事に鑑み、間仕切られた後の内装空間との調和が考慮されており、かつ間仕切収納家具の収納容積の配分を自由に変更できる間仕切収納家具の構造を提供する。
【０００７】
【課題を解決するための手段】
本発明の解決しようとする課題は以上のごとくであり、次に該課題を解決する為の手段を説明する。
【０００８】
左右に位置する側板（５０・５１）と、該両側板（５０・５１）間に設けた開閉自在の扉を構成する複数のパネル（５３）と、両側板（５０・５１）間に設けた背板を構成する複数のパネル（５３）と、天井への突っ張り機構（１２）を内装する幕板（１１）と、床面からの昇降機構（２１）及び移動輪（２２）を内装する台枠（２０）と、からなる間仕切収納家具（１）であって、前記背板を構成する複数のパネル（５３）は開閉可能とするとともに、該背板を構成する複数のパネル（５３）の裏面隣接部同士を、連結板（６５）により連結して固定可能とし、該連結板（６５）は、間仕切収納家具（１）を構成するパネル（５３）の裏面の収納部１０側の隣接部同士を跨ぐように連結固定し、該パネル（５３）が開かないように、該パネル（５３）の裏面に設け、前記扉を構成するパネル（５３）と、背板を構成するパネル（５３）は同一部材で構成し、該パネル（５３）の左右位置には、バーハンドル（６２）を取り付ける為の取り付け孔（６１）を貫通配置し、該バーハンドル（６２）を取付けない場合には、該取り付け孔（６１）は、表面色彩をパネル（５３）の表面と同一とする栓（６３）にて、間仕切られた一方の空間から、他方の空間を覗けないように閉塞し、該パネル（５３）には、前記バーハンドル（６２）の取り付け孔（６１）と高さを異にして、連結板（６５）の取り付け孔（６４）を配置し、該連結板取り付け孔（６４）は、貫通させないものである。
【０００９】
【発明の実施の形態】
次に、本発明の実施の形態を、図面に基づいて説明する。
図１は間仕切収納家具の斜視図、図２は間仕切収納家具の正面全体図、図３は突っ張り機構を示す側面断面図、図４は台枠の正面図、図５は同じく底面図、図６は昇降機構の側面断面図、図７はパネルの構成を示す斜視図、図８はパネルの組み合わせを示す平面図、図９は第一実施例の保持部材及び隙間材を示す平面断面図、図１０は第二実施例の保持部材及び隙間材及び間仕切収納家具を示す斜視図、図１１は同じく平面断面図、図１２は間仕切収納家具による間仕切り構成図、図１３は同じく間仕切収納家具による間仕切り構成の他の実施例を示す図、図１４は間仕切収納家具による間仕切りの従来例を示す図である。
【００１０】
〔間仕切収納家具〕
（１）間仕切収納家具の全体構成
図１及び図２より間仕切収納家具１を洋服箪笥とした全体構成を説明する。
間仕切収納家具１は、ダボ孔付の左側板５０・右側板５１と、その間に位置する中間板５２と、これらに開閉自在に取付けられたパネル５３ａ・５３ｂ・５３ｃと、その対面を構成するパネル５３ｄ・５３ｅ・５３ｆとから、筐体を構成し、該筐体を収納部１０としている。
なお、パネル５３・５３・・・（５３ａ・５３ｂ・５３ｃ・５３ｄ・５３ｅ・５３ｆ）の枚数、及び中間板５２に枚数は、本実施例に限るものではなく、複数枚であればよい。
【００１１】
該収納部１０の上部の周囲は幕板１１で囲み、該幕板１１内部に後述する突っ張り機構１２を収納し、収納部１０の下部には台枠２０を設けて、該台枠２０内に後述する昇降機構２１と移動輪２２を収納している。該収納部１０内には、複数の収納棚９・９・・・が配され、収納部１０内を複数の区画に分けることにより、使い勝手の良い構成としている。
また、図２に示すごとく、左側板５０と中間板５２の間にはハンガーパイプ１８を、右側板５１と中間板５２と間にはハンガーパイプ１９を、それぞれ渡すことにより、ハンガー掛けの衣類を収納する洋服箪笥としての使用を可能としている。
【００１２】
（２）突っ張り機構の構成
前記突っ張り機構１２は、図３に示すように、幕板１１で囲まれた部分内に昇降板１３を昇降できるように配置し、該昇降板１３の上面に軟質材または弾性部材よりなる緩衝部材１４・１４が貼設されている。該緩衝部材１４・１４は突っ張ったときに天井６に当接して、天井面の凹凸を吸収したり、開閉時のショックや床からの振動等が直接伝わらないようにしたり、地震等の時に変形を吸収したりするものである。
【００１３】
また、前記幕板１１は収納部１０の天板１５周囲上に一体的に設けられており、該天板１５と前記昇降板１３との間にアジャスタ１６が介装されている。該アジャスタ１６は上端に回転自在に皿状の当接部１６ａを支持し、該当接部１６ａを昇降板１３の下面に設けた凹部１３ａ内に嵌入している。この凹部１３ａ内にアジャスタ１６を挿入することで位置ズレしないようにし、アジャスタ１６を回転させて昇降させるときに、昇降板１３を傷つけないようにしている。
【００１４】
該アジャスタ１６の本体はネジにて構成している。一方、天板１５のアジャスタ挿入部にはナット体１７が埋め込まれおり、該ナット体１７にアジャスタ１６を螺装している。
そして、該アジャスタ１６の下端に回動操作部１６ｂを設けて、該回動操作部１６ｂは収納部１０内に臨むように配置して、収納部１０内からアジャスタ１６を回転できるようにしている。該回動操作部１６ｂは本実施例では六角孔付ボルトを使用して、六角レンチを挿入して回動し、アジャスタ１６を回動して昇降板１３を昇降できるようにしている。
なお、該回動操作部１６ｂはボルト頭のごとく構成しても良いし、ハンドルを固定することもできる。また、ナット体１７と螺子の代わりに、ウォームとウォームホィールを使用したり、ラックとピニオンを使用したりすることもでき、回動して昇降できる構成であれば限定するものではない。
【００１５】
（３）台枠の構成
次に、図４乃至図６を用いて、前記収納部１０の下部に配設する台枠２０について説明する。
前記収納部１０の下部周囲には台枠２０を設けて、該台枠２０内に昇降機構２１と移動輪２２を収納している。なお、該移動輪２２は本実施例ではキャスター輪を使用している。
即ち、該台枠２０は外枠２０ａと内枠２０ｂよりなり、該外枠２０ａ上に収納部（筐体）１０の底板２４が載置固定され、該外枠２０ａと内枠２０ｂは前後平行に配置されて、内枠２０ｂの両側は左側板５０・右側板５１を固設している。該前後の外枠２０ａ・２０ａは連結プレート２５・２５・・・により連結され、内枠２０ｂ・２０ｂは連結プレート２６・２６・２６で連結される。
そして、左右両側の連結プレート２５・２５の下面にそれぞれ移動輪２２・２２・・・が配置されて、できるだけ四隅で安定して支持できるように配設している。該移動輪２２の下端は後述する昇降機構２１で内枠２０ｂを上昇させたときに床７に接地するように配設している。
【００１６】
この連結プレート２５と連結プレート２６と台枠２０に囲まれた部分内に昇降機構２１が配置されている。該昇降機構２１は各連結プレート２６の前後に螺子軸３０・３０を立設し、該螺子軸３０の上部にはそれぞれベベルギヤ３１のボス部に螺装されている。該ベベルギヤ３１は前記連結プレート２５の下面に設けたギヤボックス３３内に回転自在に収納されている。
【００１７】
一方、前後のギヤボックス３３間は伝動軸３４・３４・・によって回動力を伝達できるようにしており、該伝動軸３４の両端にベベルギヤ３２・３２を固設して前記ベベルギヤ３１と噛合させて回動力を伝達できるようにしている。
また、左右方向のギヤボックス３３間は前後一側において、伝動軸３５・３６・３７によって回動力を伝達できるようにしており、該伝動軸３５・３６・３７の両端にもそれぞれベベルギヤ３２・３２・・・を固設して、前記ベベルギヤ３１と噛合させて回動力を伝達できるようにしている。
なお、各伝動軸３４・３５・３６・３７は中途部で軸受３９・３９・・・により適宜支持されて、湾曲したり、噛み合わせの悪化等を防止している。
【００１８】
そして，前記伝動軸３５・３６・３７の何れかからギヤボックス３３を介して分岐しており、本実施例では伝動軸３５と伝動軸３６の間から分岐して、伝動軸３８の一端を操作ギヤボックス４０内に挿入し、該操作ギヤボックス４０内の伝動軸３８上に固設したベベルギヤ３２をベベルギヤ４１と噛合させ、該ベベルギヤ４１は操作ギヤボックス４０内で垂直方向に回動自在に支持した回動軸４２上に固設し、該回動軸４２の上部は収納部１０内に臨むように配設されており、底板２４の一部を開口して、その開口部に該回動軸４２を挿入し、上方より操作ハンドル４３のボス部４３ａを挿入して回動可能としている。このボス部４３ａと回動軸４２はスプライン嵌合または角軸等で連結して空回りはしないが、操作ハンドル４３は着脱容易としている。そして、操作ハンドル４３を収納部１０から着脱でき、装着したときは容易に操作できるようにしている。
【００１９】
このような構成において、前記操作ハンドル４３を回動することにより、ベベルギヤ４１・３２、伝動軸３８を介してギヤボックス３３に回動力が伝えられ、該ギヤボックス３３から伝動軸３５・３６・３７・３４やベベルギヤ３２・３２・・・等を介してベベルギヤ３１・３１・・・に伝えられ、該ベベルギヤ３１・３１・・・の回動により、螺子軸３０・３０・・・が回動されて、連結プレート２６・２６・２６及び内枠２０ｂが昇降されるのである。
なお、回動力を伝達するために伝動軸とベベルギヤの数は限定するものではなく、また、伝動軸とベベルギヤの代わりに、スプロケットとチェーン等を用いることも可能である。また、内枠２０ｂの代わりに外枠２０ａを昇降する構成とすることも可能である。
【００２０】
そして、内枠２０ｂを下降させることにより、間仕切収納家具１は持ち上げられることになり、前記突っ張り機構１２の作用と合わせて天井６と床７の間で突っ張ることができて、間仕切収納家具１を固定することができる。
逆に、内枠２０ｂを上昇させると、内枠２０ｂは外枠２０ａ内に収納され、移動輪２２・２２・・・が接地することになり、間仕切収納家具１は降ろされて移動輪２２・２２・・・に支持されることになる。こうして、間仕切収納家具１の上部は天井６から離れ移動することができるのである。なお、操作ハンドル４３は昇降時以外は使用しないので、外して別の位置に収納しておけば、邪魔にならず収納空間を小さくすることはない。
【００２１】
（４）パネルの構造
パネル５３は扉と背板を同一部材で構成して、生産性を向上してコスト低減化を図っている。図７は、パネル５３（５３Ａ・５３Ｂ）の前面Ｆ及び裏面Ｕを示している。
該パネル５３の左右位置には、バーハンドル取り付け孔６１・６１・・・が貫通して配されており、ボルト等によりバーハンドル６２の脱着を可能としている。
【００２２】
バーハンドル６２を取付けない場合には、即ち、パネル５３を背板として機能させる場合には、バーハンドル取り付け孔６１・６１・・・は、表面色彩をパネル５３の表面と同一とする栓６３・６３・・・により塞がれている。該栓６３・６３・・・が有する機能は以下の二つである。
第一に、バーハンドル取り付け孔６１・６１・・・を蓋することにより、間仕切られた一方の空間から、他方の空間を覗けないようにする機能である。
第二に、５３・５３・・・が背板として機能する際には、バーハンドル取り付け孔６１・６１・・・が、背板全体の美観を損なうことになる。そこで、該バーハンドル取り付け孔６１・６１・・・を蓋して隠すとともに、しかも、蓋をした後は、パネル５３の表面と色彩を同一化することで、背板全体の美観を損なわないようにする機能である。
【００２３】
バーハンドル６２は、上下方向に長く構成する棒状のハンドルであって、パネル５３・５３・・・に脱着可能の取っ手である。
本実施例では、握り位置が床上６０ｃｍから１２０ｃｍとなるように、バーハンドル６２の長さを６０ｃｍとしている。
これは、ユニバーサルデザインのコンセプトに基づく実施例であり、背の低い子供から、背の高い大人までの誰でもが、バーハンドル６２を掴みやすく、パネル５３・５３・・・の開閉を行いやすいようにしたものである。
【００２４】
また、同じくパネル５３・５３・・・には、前記バーハンドル取り付け孔６１・６１・・・と高さを異にして、連結板取り付け孔６４・６４・・・が配されている。該連結板取り付け孔６４・６４・・・は、後述する連結板６５・６５・・・を取付けるための螺孔であって、貫通はしていない。
【００２５】
以上のごとく構成したパネル５３・５３・・・を使用して、図２に示す間仕切収納家具１が構成されている。パネル５３ａ・５３ｂ・５３ｃは、前記左側板５０、中間板５２、及び右側板５１に対し蝶番６６・６６・・・により開閉自在に枢支されている。
こうして、該パネル５３ａ・５３ｂ・５３ｃを使用して前面に設け、開閉可能なパネルとし、収納部１０への収納を可能としている。
【００２６】
一方パネル５３ｄ・５３ｅ・５３ｆも同様に、前記左側板５０、中間板５２、及び右側板５１に対し蝶番６６・６６・・・により枢支されている。
そして、パネル５３ｄ・５３ｅ及びパネル５３ｅ・５３ｆには、連結板６５・６５・・・が固設されている。該連結板６５・６５・・・は、間仕切収納家具１を構成するパネル５３・５３・・・の裏面（収納部１０側）の隣接部同士を跨ぐように連結固定する板体であって、パネル５３・５３・・・を開けないようにするものである。本実施例では、パネル５３ｄ・５３ｅ・５３ｆの上下方向略中央の位置と、上方に備えている。
また、パネル５３ｄ・５３ｅ・５３ｆのバーハンドル取り付け孔６１・６１・・・は、前記栓６３・６３・・・により塞がれている。
こうして、該５３ｄ・５３ｅ・５３ｆは、連結板６５・６５・・・によって、開くことを制限され、間仕切収納家具１の背板としての機能を果たすのである。そして、５３ｄ・５３ｅ・５３ｆの表面は、間仕切られた空間の内装壁面となるのである。
【００２７】
（５）パネルの外観
図７にパネル５３・５３・・・の外観（外観、色彩及び質感）の実施例を示す。パネル５３の表面は内装等に合わせて、または、好みにより選択できるようにしている。フラットパネル５３Ａは、平らな一表面で構成され、すっきりとした印象としたものである。色彩は、内装との調和を考慮して購入者の好みに応じて選択可能としている。５３ｄ・５３ｅ・５３ｆの室内側表面は内装材（壁または床）の色彩や質感に合わせたほうが好ましい。框戸パネル５３Ｂは、鏡板を枠で囲んで構成され、框戸形状とし、重厚な印象としたものである。色彩は、内装との調和を考慮して購入者の好みに応じて選択可能としている。
【００２８】
また、開口側となるパネルと、背板となるパネルは、購入時において異種のパネル（タイプ）を選択することも可能である。
例えば、図８に示すごとく、間仕切収納家具１ａにおいては、開口側をフラットパネル５３Ａ・５３Ａ・・・で構成し、背板を框戸パネル５３Ｂ・５３Ｂ・・・で構成する。
【００２９】
一方、間仕切収納家具１ｂにおいては、開口側を框戸パネル５３Ｂ・５３Ｂ・・・で構成し、背板をフラットパネル５３Ａ・５３Ａ・・・で構成する。
【００３０】
こうして、空間Ｃ・空間Ｄに構成される間仕切り壁を違った雰囲気に構成することが可能となるのである。即ち、内装と調和の取れたデザインを選択することができ、購入者の選択の幅を広げることができるのである。
なお、このように間仕切収納家具１ａ・１ｂを横に並べて配置する際には、両間仕切収納家具１ａ・１ｂの接する側の側板には、後述する保持部材８０・８０・・・及び隙間材９０・９０・・・は配置せずに、両間仕切収納家具１ａ・１ｂの側板を当接させることで、間仕切る空間同士を遮蔽するものとする。
【００３１】
（６）側板の構造
図１に示すごとく、左側板５０及び右側板５１には、上下方向に複数の保持部材取付孔７１・７１・・・が、奥行き方向二列に貫通されている。
【００３２】
〔保持部材〕
図１に示すごとく、保持部材８０は、前記左側板５０及び右側板５１に平行して二列に脱着可能に固定される部材であって、後述する隙間材９０を保持する機能を果たすものである。該保持部材８０は、合成樹脂の成型品からなるものであって、本実施例では、軽く、丈夫で耐熱性にすぐれるポリプロピレンの成型品とした。
このように、該保持部材８０を合成樹脂としたのは、間仕切収納家具１を移動させた際に、該保持部材８０が躯体壁にぶつかってしまうようなことがあっても、躯体壁を傷つけることがないようにするためである。また、図９に示すごとくの、側板（左側板５０）の外側に位置する金属からなる固定ボルト７８・７８・・・及び固定ナット７７・７７・・・が、躯体壁８に直接当たらないようにして、躯体壁８を傷つけないようにするためである。
以下、該保持部材８０を左側板５０に取付ける例を用いて説明する。
【００３３】
（第一参考例）
図１及び図９に示すごとく、第一実施例の保持部材８０は、上下方向の長さを、左側板５０（右側板５１）と同じに構成される棒状部材である。図９に示すごとく、該保持部材８０の断面形状は、側板５０に貼設する平板部８２の室内（表面）側端と、該平板部８２に平行な支持面８３の奥側端を、連結面８４で互いに略直角となるように連結してクランク状に構成している。平板部８２には、貫通孔８１・８１・・・が、左側板５０面上の保持部材取付孔７１・７１・・・と対応する位置に貫通されている。
そして、平板部８２は、固定ボルト７８・７８・・・及び固定ナット７７・７７・・・によって、左側板５０に当接固定されている。連結面８４と支持面８３は、左側板５０の外側面とによって、平面視「コ」形を形成し、「コ」形の開口側からは、隙間材９０の挿嵌を可能としている。支持面８３の平面視における端部には、断面視円形の係止部８９が形成され、隙間材９０を挿嵌後において、係止部８９が隙間材９０の嵌装表面に圧接することにより、隙間材９０が保持部材８０にしっかりと保持され、外れ難い構成としている。
【００３４】
（第二参考例）
図１０及び図１１に示すごとく、第二実施例の保持部材は上下方向に分割した行為とし、本実施例では上下二つに分割した保持部材８６ａ・８６ｂとし、夫々左側板５０の上部・下部に取付けられ、上下方向の長さを、左側板５０の１／３程度に構成している。このような上下方向としたのは、取付時において取付作業を行い易くするためである。図１１に示すごとく、該保持部材８６ａ・８６ｂの断面形状は、平板部８２と、隙間材９６が挿嵌される「Ｃ」形の挿嵌枠８７と、平板部８２と挿嵌枠８７を連結する連結面８８とから構成されている。
【００３５】
〔隙間材〕
図１に示すごとく、隙間材９０は、前記左側板５０及び右側板５１に取付けられる棒状部材であって、間仕切られた各空間から、左側板５０（右側板５１）と躯体壁との隙間を塞ぐことにより、間仕切りの遮光・遮音・断熱性能の向上の機能、及び内装美観の向上の機能を果たす部材である。該隙間材９０の素材は、軟質合成樹脂材料又はゴム等の弾性体で構成している。本実施例では、オレフィン系樹脂を素材とし、全体として適度に撓るように構成し、前記保持部材８０に取付けた後は、上下方向を長手とした立設状態が維持できるような曲げ強度としている。
また、該隙間材９０は、天井高さに応じた長さとするもので、その上端を天井に、下端を床面に当接するように構成している。
【００３６】
（第一参考例）
図９に示すごとく、第一実施例の隙間材９０の断面形状は、前述したごとくの保持部材８０と左側板５０とから構成される「コ」形の開口に挿嵌される挿嵌部９１と、挿嵌後において人目につく側となる室内側の遮蔽部９２とから長手方向断面視「Ｌ」形としている。即ち、「Ｌ」形の一側を挿嵌部９１、他側を遮蔽部９２としている。
【００３７】
隙間材９０は軟質材であるため、該隙間材９０の挿嵌部９１は、保持部材８０に挿嵌（圧入）された後は、自己の有する復元力により、保持部材８０の支持面８３と左側板５０の間を突っ張るようにして、固定される。
【００３８】
遮蔽部９２は、間仕切収納家具１のパネル５３の表面、または、内装材と色彩を同じとし、パネル５３の表面との統一感を持たせている。
【００３９】
そして、該隙間材９０を保持部材８０に取付けた状態においては、前記挿嵌部９１と遮蔽部９２とから構成される側板側面９３が、左側板５０と面で当接する。こうして、左側板５０と遮蔽部９２の間には空間が生じることがなく、遮蔽効果を向上させることが出来る。
【００４０】
一方、躯体壁８側においては、遮蔽部９２が、躯体壁８に当接することにより、左側板５０と、躯体壁８との間の隙間が塞がれるのである。
【００４１】
隙間材９０は軟質材で構成しているため、該隙間材９０は、左側板５０と、躯体壁８との間の隙間の幅が、前記遮蔽部９２の幅よりも狭い場合においても、その形状を柔軟に変化させることにより、保持部材８０に対して取付が可能なのである。
【００４２】
また、躯体壁８側の隙間材９０の断面視における肉厚は、左側板５０側における肉厚よりも薄く構成されるため、外圧に対して変形しやすいため、上述のごとくの、狭い幅の隙間に挿嵌する作業においては、躯体壁８側の遮蔽部９２を撓らせることができ、保持部材８０に対しての取付作業は容易に行える。
【００４３】
そして、該遮蔽部９２が柔軟に撓ることにより、躯体壁８から受ける応力が分散され、挿嵌部９１まではその応力が伝わらない。こうして、挿嵌部９１には前記保持部材８０を外れようとする応力が発生することはないことから、挿嵌部９１が保持部材８０から外れる事がない。こうして、躯体壁８の寸法誤差がある場合（壁面が完全な垂直面を構成していない場合等）や、幅木がある場合においても、柔軟に対応可能としている。
【００４４】
また、隙間材９０は、上述のごとく、軟質材を素材とするため、取付時において躯体壁８を擦ってしまった場合においても、躯体壁８の表面を傷つけることがないのである。
【００４５】
さらに、図９に示すごとく、隙間材９０はパネル５３の前面から奥まった位置に設置することとし（本実施例では、側板（左側板５０、右側板５１）の端面から２０ｍｍ内側とした）、パネル５３との色彩との調和を保ちつつも、外部からは目立たないように工夫がされている。
【００４６】
（第二参考例）
図１１に示すごとく、第二実施例の隙間材９６の断面形状は、前記保持部材８６の「Ｃ」形の挿嵌枠８７の開口側から挿嵌される挿嵌部９７と、挿嵌後において人目につく側となる室内側の板状の遮蔽部９８と、から構成されている。
【００４７】
隙間材９６は軟質材であるため、該隙間材９６の挿嵌部９７は、保持部材８６の挿嵌枠８７に挿嵌（圧入）された後は、自己の有する復元力により、挿嵌枠８７の内周を突っ張るようにして、保持される。
【００４８】
該遮蔽部９８は、間仕切収納家具１のパネル５３の表面または内装材と色彩を同じとし、パネル５３の表面との統一感を持たせている。
【００４９】
隙間材９６は軟質材で構成しているため、該隙間材９６は、左側板５０と、躯体壁８との間の隙間の幅が、前記遮蔽部９８の幅よりも狭い場合においても、遮蔽部９８を撓らせることにより、前記保持部材８６に対して取付が可能なのである。
【００５０】
また、隙間材９６は、上述のごとく、軟質材を素材とするため、取付時において躯体壁８を擦ってしまった場合においても、躯体壁８の表面を傷つけることがないのである。
【００５１】
〔間仕切収納家具による間仕切り構成〕
（１）間仕切り構成の第一実施例
図１２に示す間仕切り構成は、間仕切収納家具１ａ・１ｂにより、ワンルーム５４を、主寝室５５と子供室５６に間仕切った実施例である。
このように間仕切った場合における上記保持部材８０、隙間材９０、及びパネル５３の呈する機能について説明する。
【００５２】
（１−１）保持部材及び隙間材の機能
隙間材９０により、躯体壁面５７と間仕切収納家具１ａ・１ｂとの隙間が閉じられる。こうして、主寝室５５と子供室５６を間仕切った際の遮光・遮音性能の向上が実現され、空間を分割するという間仕切りの機能が向上するのである。
また、隙間が埋められることにより、両空間（主寝室５５と子供室５６）を行き交う空気の流れが遮断されるため、それぞれの空間の気密度が向上し、冷暖房効率を上げることができる。しかも、該隙間材９０は、間仕切収納家具１ａ・１ｂの主寝室５５側と子供室５６側の二箇所（間仕切収納家具１の奥行き方向の二箇所）に配置されるので、一箇所のみに配置するものと比較して上記の各性能・効率は高いレベルで実現される。
そして、隙間材９０は保持部材８０により、しっかりと保持されるため、隙間材９０は取付け後において、保持部材８０から外れることもなく、分割された両空間の遮蔽性は保たれる。
ここで、例えば、子供室５６側の隙間材９０が外されてしまった場合においても、主寝室５５側の隙間材９０が存在するので、主寝室５５側のプライバシーは守られる。即ち、隙間材９０が二箇所に配置するとで、プライバシーを守る性能の向上が図られている。
【００５３】
（１−２）パネルによる室内空間の演出
子供室５６側の間仕切収納家具１ａ・１ｂのパネルは、表面の色をホワイトとしたフラットパネル５３Ａ・５３Ａ・・・（図７に示す）で構成している。こうして、間仕切り壁を軽快な雰囲気で構成し、明るい室内を演出することができる。
一方、主寝室５５側の間仕切収納家具１ａ・１ｂのパネルは、木目調の鏡板を同じく木目調の枠で囲んだ框戸パネル５３Ｂ・５３Ｂ・・・（図７に示す）で構成している。こうして、間仕切り壁を重厚な雰囲気で構成し、質感の高い室内を演出することができる。
【００５４】
（１−３）パネルの開閉の機能
上述したごとく、間仕切収納家具１の前面・背面を構成するパネル５３・５３・・・は、蝶番６６・６６・・・（図２に示す）により開閉可能とし、連結板６５により開閉を制限可能としている。このパネル５３・５３・・・の構造により、間仕切収納家具１ａにおいては、収納部１０ａ・１０ｂを子供室５６側からの使用とし、収納部１０ｃを主寝室５５側からの使用とする。ここで、前記連結板６５・６５・・・（図２に示す）により、主寝室５５側からの収納部１０ａ・１０ｂのパネル５３Ｂ・５３Ｂの開閉は行えず、一方、収納部１０ｃの子供室５６側からのパネル５３Ａの開閉は行えないようになっている。
以上の構成により、間仕切収納家具１ａ・１ｂ全体からなる収納部１０（１０ａ・１０ｂ・１０ｃ・１０ｄ・１０ｅ・１０ｆ）の内、１／３のスペースを子供室５６用とし、２／３のスペースを主寝室５５側とするのである。
このようにして、家族三人で使用する場合においては、間仕切収納家具１ａ・１ｂ全体からなる収納部１０（１０ａ・１０ｂ・１０ｃ・１０ｄ・１０ｅ・１０ｆ）を、三人で均等に振り分けて使用することができるのである。
【００５５】
（２）間仕切り構成の第二参考例
図１３に示す間仕切り構成は、間仕切収納家具１ａ・１ｂにより、ワンルーム５４を、主寝室５５と書斎５９に間仕切った実施例である。
このように間仕切った場合における上記保持部材８０、隙間材９０、及びパネル５３の呈する機能について説明する。
【００５６】
（２−１）保持部材及び隙間材の機能
隙間材９０により、躯体壁面５７と間仕切収納家具１ａ・１ｂとの隙間が閉じられる。こうして、主寝室５５と書斎５９を間仕切った際の遮光・遮音性能の向上が実現され、空間を分割するという間仕切りの機能が向上するのである。
また、隙間が埋められることにより、両空間（主寝室５５と書斎５９）を行き交う空気の流れが遮断されるため、それぞれの空間の気密度が向上し、冷暖房効率を上げることができる。しかも、該隙間材９０は、間仕切収納家具１ａ・１ｂの主寝室５５側と書斎５９側の二箇所（間仕切収納家具１の奥行き方向の二箇所）に配置されるので、一箇所のみに配置するものと比較して上記の各性能は高いレベルで実現される。このようにして、書斎５９においては、静かな空間で集中して作業をすることが可能となる。
そして、隙間材９０は保持部材８０により、しっかりと保持されるため、隙間材９０は取付け後において、保持部材８０から外れることもなく、分割された両空間の遮蔽性は保たれる。
【００５７】
（２−２）パネルによる室内空間の演出
書斎５９側の間仕切収納家具１ａ・１ｂのパネルは、表面の色をブラックとしたフラットパネル５３Ａ・５３Ａ・・・（図７に示す）で構成している。こうして、間仕切り壁を安定感のある雰囲気で構成し、落ち着いた室内を演出することができる。
一方、主寝室５５側の間仕切収納家具１ａ・１ｂのパネルは、木目調の鏡板を同じく木目調の枠で囲んだ框戸パネル５３Ｂ・５３Ｂ・・・（図７に示す）で構成している。こうして、間仕切り壁を重厚な雰囲気で構成し、質感の高い室内を演出することができる。
【００５８】
（２−３）パネルの開閉の機能
書斎５９側においては、洋服箪笥としての利用をしないので、框戸パネル５３Ｂ・５３Ｂ・・・は前記連結板６５・６５・・・により、開閉が行えないようにしている。
一方で、主寝室５５側の全てのフラットパネル５３Ａ・５３Ａ・・・を開閉可能として、主寝室５５側から洋服箪笥を広く使用できるようにしている。
以上の構成により、各部屋の利用目的に応じた収納容積の配分が可能となる。
【００５９】
【発明の効果】
本発明は以上のごとく構成したので、次のような効果を奏するのである。
左右に位置する側板（５０・５１）と、該両側板（５０・５１）間に設けた開閉自在の扉を構成する複数のパネル（５３）と、両側板（５０・５１）間に設けた背板を構成する複数のパネル（５３）と、天井への突っ張り機構（１２）を内装する幕板（１１）と、床面からの昇降機構（２１）及び移動輪（２２）を内装する台枠（２０）と、からなる間仕切収納家具（１）であって、前記背板を構成する複数のパネル（５３）は開閉可能とするとともに、該背板を構成する複数のパネル（５３）の裏面隣接部同士を、連結板（６５）により連結して固定可能とし、該連結板（６５）は、間仕切収納家具（１）を構成するパネル（５３）の裏面の収納部１０側の隣接部同士を跨ぐように連結固定し、該パネル（５３）が開かないように、該パネル（５３）の裏面に設け、前記扉を構成するパネル（５３）と、背板を構成するパネル（５３）は同一部材で構成し、該パネル（５３）の左右位置には、バーハンドル（６２）を取り付ける為の取り付け孔（６１）を貫通配置し、該バーハンドル（６２）を取付けない場合には、該取り付け孔（６１）は、表面色彩をパネル（５３）の表面と同一とする栓（６３）にて、間仕切られた一方の空間から、他方の空間を覗けないように閉塞し、該パネル（５３）には、前記バーハンドル（６２）の取り付け孔（６１）と高さを異にして、連結板（６５）の取り付け孔（６４）を配置し、該連結板取り付け孔（６４）は、貫通させないので、例えば、図１４に示すごとく、間仕切収納家具１ａ・１ｂを用いて二つの部屋Ｇ・Ｈに間仕切り、部屋Ｇ側からは間仕切収納家具１ａを使用可能とし、部屋Ｈからは間仕切収納家具１ｂの使用可能とする場合において、部屋Ｇ側は、間仕切収納家具１ａの扉面と、間仕切収納家具１ｂの背板面（６７Ｂ）で構成されることになるが、このような場合において、本発明の如く構成することにより、間仕切収納家具１ａの扉面と間仕切収納家具１ｂの背板面の調和が取れていることにより、両面のアンバランスにより部屋Ｇの内装空間の美観が損なわれることが無いのである。
また、間仕切収納家具により空間を二つに分割した場合に、各空間の間仕切収納家具の収納容積の配分は、各空間の使用の用途に応じてフレキシブルに対応できる。
【００６０】
また、前記扉と背板を構成するパネルは同一部材で構成するので、生産性が向上し、コストの低減化を図ることができる。
また、購入者の希望に応じて、パネルの外観、色彩、及び質感を選択することも可能であり、該パネルを間仕切られた空間と調和させることや、居住者の好みに応じた室内空間の演出が可能となる。
【図面の簡単な説明】
【図１】  間仕切収納家具の斜視図である。
【図２】  間仕切収納家具の正面全体図である。
【図３】  突っ張り機構を示す側面断面図である。
【図４】  台枠の正面図である。
【図５】  同じく底面図である。
【図６】  昇降機構の側面断面図である。
【図７】  パネルの構成を示す斜視図である。
【図８】  パネルの組み合わせを示す平面図である。
【図９】  第一実施例の保持部材及び隙間材を示す平面断面図である。
【図１０】  第二実施例の保持部材及び隙間材及び間仕切収納家具を示す斜視図である。
【図１１】  同じく平面断面図である。
【図１２】  間仕切収納家具による間仕切り構成図である。
【図１３】  同じく間仕切収納家具による間仕切り構成の他の実施例を示す図である。
【図１４】  間仕切収納家具による間仕切りの従来例を示す図である。
【符号の説明】
１            収納家具
１０            収納部
１１            幕板
１２            突っ張り機構
２０            台枠
５０            左側板
５１            右側板
５３            パネル
６５            連結板
６６            蝶番
８０            保持部材
９０            隙間材
【図１】
0003911389.tif 000002
【図２】
0003911389.tif 000003
【図３】
0003911389.tif 000004
【図４】
0003911389.tif 000005
【図５】
0003911389.tif 000006
【図６】
0003911389.tif 000007
【図７】
0003911389.tif 000008
【図８】
0003911389.tif 000009
【図９】
0003911389.tif 000010
【図１０】
0003911389.tif 000011
【図１１】
0003911389.tif 000012
【図１２】
0003911389.tif 000013
【図１３】
0003911389.tif 000014
【図１４】
0003911389.tif 000015